(57)【要約】【課題】左右の支柱部と梁部とを有するゲートにおいて、支柱部に取り付けた外装材と梁部に取り付けた外装材との間で目地等の不一致が生じることがないような外装材の取付方法を提供する。【解決手段】左右の支柱１と該支柱の上方部位間に架け渡した梁２とから構成されたゲート本体に外装材を取り付ける方法において、該支柱１の前面には支柱用外装材３，３０，３１が、該梁２の前面には梁用外装材３５がそれぞれ取り付けられ、支柱１の前面に外装材を取り付ける工程は、第1の支柱用外装材３を、該支柱１の該梁２に近い部位に取り付ける工程と、該第１の支柱用外装材３を基準として、残りの外装材３０，３１を順次取り付ける工程とを有する。好ましくは、該第1の支柱用外装材３は見付片３００と外側見込片３０２と内側見込片３０１とを有し、内側見込片３０１の上端部は水平面３０１Ａに形成されており、該水平面３０１Ａと該梁２の下辺を通る仮想水平面Ｐとを一致させる。【選択図】図８
2005282121.tif 000002
【特許請求の範囲】
【請求項１】
左右の支柱と該支柱の上方部位間に架け渡した梁とから構成されたゲート本体に外装材を取り付ける方法において、該支柱の前面には支柱用外装材が、該梁の前面には梁用外装材がそれぞれ取り付けられ、
支柱の前面に外装材を取り付ける工程は、
第1の支柱用外装材を、該支柱の該梁に近い部位に取り付ける工程と、
該第１の支柱用外装材を基準として、残りの外装材を順次取り付ける工程と、
を有することを特徴とするゲートにおける外装材の取付方法。
【請求項２】
請求項１に記載の方法において、前記第１の支柱用外装材を取り付ける工程は、第1の支柱用外装材の上端部が該梁の下辺に略一致するように取り付ける工程であり、該第１の支柱用外装材に対して下方及び上方に順次外装材を取り付けることを特徴とするゲートにおける外装材の取付方法。
【請求項３】
請求項２に記載の方法において、該第1の支柱用外装材は少なくとも見付片と内側見込片とを有し、内側見込片の上端部は水平面に形成されており、該水平面と該梁の下辺を通る水平面とを一致させることを特徴とするゲートにおける外装材の取付方法。
【請求項４】
請求項２，３いずれかに記載の方法において、前記第１の支柱用外装材を取り付ける工程は、第1の支柱用外装材の上端部を該梁の下端面に当接させて取り付けるものであることを特徴とする外装材の取付方法。
【請求項５】
請求項１乃至４いずれかに記載の方法において、該第1の支柱用外装材と第1の支柱用外装材の直上に取り付けられる外装材との間の目地と該梁の前面に取り付けられる梁用外装材の下端部とが同一水平線上に位置することを特徴とするゲートにおける外装材の取付方法。
【請求項６】
請求項１乃至５いずれかに記載の方法において、各外装材は、水平方向の目地を有しており、該第１の支柱用外装材の直上に取り付けられる支柱用外装材の目地と、該梁の前面に取り付けられる梁用外装材との目地とが同一水平線上に位置することを特徴とするゲートにおける外装材の取付方法。
【発明の詳細な説明】
【技術分野】
【０００１】
本発明は、ゲートにおける外装材の取付方法に関するものである。
【背景技術】
【０００２】
ゲートは、所定部位に左右の支柱を立設し、左右の支柱を立設した後に、左右の支柱の上端部間に梁を架け渡して門型のゲート本体を形成し、ゲート本体の表面に外装材を張設することで構成される。外装材は、支柱の周面、梁の前面にそれぞれ独立に張設される。
【０００３】
従来、外装材は、下方から上方に向って積み上げるようにして取り付けられる。しかしながら、外装材の取付施工時に生じる取付誤差や外装材自体の公差によって、上下隣位の外装材間の目地の水平位置が、予め設定していた水準からズレてしまうことがある。特に、外装材を下から順次取り付けていくと、上方に行くにしたがって小さな誤差が積み重なっていき、上方に位置する外装材において、目地の水平位置が設定していた水準からズレてしまうおそれがある。
【０００４】
支柱前面に取り付けられる外装材の目地の位置がズレると、梁の前面に取り付けた外装材との間で、水平方向の目地の不一致が生じてしまう。これでは、門型ゲートを正面から見た場合の美観を損ねることになり、元来ゲート本体のデザイン性を向上させる外装材として設けた外装材の意匠効果が減殺されてしまう。
【発明の開示】
【発明が解決しようとする課題】
【０００５】
本発明の目的は、左右の支柱部と梁部とを有するゲートにおいて、支柱部に取り付けた外装材と梁部に取り付けた外装材との間で目地等の不一致が生じることがないような外装材の取付方法を提供することにある。
【課題を解決するための手段】
【０００６】
かかる課題を達成するために本発明が採用した技術手段は、左右の支柱と該支柱の上方部位間に架け渡した梁とから構成されたゲート本体に外装材を取り付ける方法において、該支柱の前面には支柱用外装材が、該梁の前面には梁用外装材がそれぞれ取り付けられ、支柱の前面に外装材を取り付ける工程は、第1の支柱用外装材を、該支柱の該梁に近い部位に取り付ける工程と、該第１の支柱用外装材を基準として、残りの外装材を順次取り付ける工程とを有するものである。
【０００７】
一つの好ましい態様では、前記第１の支柱用外装材を取り付ける工程は、第1の支柱用外装材の上端部が該梁の下辺に略一致するように取り付ける工程であり、該第１の支柱用外装材に対して下方及び上方に順次外装材を取り付けるものである。第1の支柱用外装材を、梁の下辺を目標として位置決めして取り付けることで、第1の支柱用外装材とその直上の支柱用外装材との間の目地と梁に取り付けられる梁用外装材の下端部とを水平方向に一致させることができる。言い換えると、第1の支柱用外装材の直上の支柱用外装材の下端部と梁に取り付けられる梁用外装材の下端部とを水平方向に一致させることができる。さらに好ましい態様では、前記第１の支柱用外装材を取り付ける工程は、第1の支柱用外装材の上端部（好ましくは、内側見込片の上端部の水平面）を該梁の下端面に当接させて取り付けるものである。
【０００８】
好ましい態様では、該第1の支柱用外装材は、少なくとも見付片と内側見込片とを有し（好ましい一つの態様では、第1の支柱用外装材は見付片と外側見込片と内側見込片とを有し）、内側見込片の上端部は水平面に形成されており、該第1の支柱用外装材は、該水平面と該梁の下辺を通る仮想水平面とを一致させるように取り付けられる。
【０００９】
他の好ましい態様では、各外装材は、それぞれ、複数のレンガやタイルを積み重ねた意匠を有しており、水平方向に延出する目地（上下のレンガやタイル間に形成されている）を有している。該第１の支柱用外装材の直上に取り付けられる支柱用外装材の目地と、該梁の前面に取り付けられる梁用外装材との目地とが同一仮想水平線上に位置するような所定位置に該第1の支柱用外装材を取り付ける。該第１の支柱用外装材の直上に取り付けられる支柱用外装材における目地間隔と該梁の前面に取り付けられる梁用外装材における目地間隔が同一の場合には、該第１の支柱用外装材の直上の外装材の下端部と該梁用外装材の下端部が水平方向に一致するように取り付けられていればよい。
【発明の効果】
【００１０】
本発明においては、梁に近い部位から支柱用外装材を取り付けることで、梁に取り付けられる外装材の近くに位置する支柱用外装材が、外装材の取付時に生じる誤差や外装材自体の公差の積み重ねによる誤差の影響を受けることがない。したがって、梁に取り付けられる外装材との間で予め設定された支柱用外装材の取付位置に狂いが生じることがない。特に、第1の支柱用外装材の上端部が該梁の下辺に一致するように取り付け、該第１の支柱用外装材に対して下方及び上方に順次外装材を取り付けるものでは、第1の支柱用外装材を、梁の下辺を目標として位置決めして取り付けることで、第1の支柱用外装材とその直上の支柱用外装材との間の目地と梁に取り付けられる梁用外装材の下端部とを水平方向に一致させることができる。
【発明を実施するための最良の形態】
【００１１】
本発明を好ましい形態であるシャッター付きゲートに基づいて説明する。図１は、シャッター付きゲートの斜視図、図２は、シャッター付きゲートの正面図、側面図、及び平面図である。図３は、シャッター付きゲートのシャッターケースの内部を示す図である。シャッター付きゲートは、左右の支柱１と、左右の支柱１の上端部位間を連結する梁２とから門型に形成されており、左右の支柱１の周面及び梁２の前面には外装材としてサイディング材３，３０，３１，３２，３３，３４，３５が張設されている。左右の支柱１と梁２とからなる門型ゲートにはシャッター装置が設置されている。
【００１２】
シャッター装置は、ゲートの梁２の背面に設置されたシャッターケース４と、シャッターケース４内に設けた巻取シャフト５及びシャッター開閉機６と、巻取シャフト５に取り付けられたシャッターカーテン７、左右の支柱１に設けたレール受材８と、レール受材８に取り付けられたガイドレール９とを有する。ゲートの使用時には、シャッターカーテン７は巻取シャフト５に巻装された状態にあり、シャッターカーテン７がガイドレール９に案内されて降下してゲート（左右の支柱１と梁２とで囲まれる空間）を閉鎖する。また、左右の支柱１及び梁２の上面には笠木２６が取り付けてある。尚、本明細書においては、部材の位置関係を示す表現として、ゲートの正面側を「前」、ゲートの背面側を「後」、開口幅方向を「見付」、開口幅方向に直交あるいは略直交する方向を「見込」とする。
【００１３】
図４は、左右の支柱１と、左右の支柱１の上端部位間を連結する梁２とから門型に形成されたゲート本体であり、外装材３を張設する前の状態を示している。門型ゲートを設置するには、先ず、左右の支柱１の位置を決めて基礎施工を行い、左右の支柱１を立設する（図５参照）。次いで、左右の支柱１の上端間に梁２を設置することでゲート本体を構成する（図６参照）。図４乃至図６に示すように、左右の支柱１及び梁２は、共に、フレーム材を組立てることで構成されたパネル体である。
【００１４】
左右の支柱１は、断面視において、前面部１０と側面部１１とから略Ｌ形状を有している。前面部１０は、前方側見付面１００と内方側（開口部側）見込面１０１と外方側見込面１０２と後方側見付面１０３とを有する。側面部１１は、内方側見込面１１０と外方側見込面１１１と後方側見付面１１２とを有する。前面部１０の外方側見込面１０２と側面部１１の外方側見込面１１１とは同一の平面を形成している面である。前面部１０の背面側（後方側見付面１０３）にはレール受材８が設置され、レール受材８にガイドレール９が取り付けられる。
【００１５】
梁２は、見付方向に水平状に延出する長尺の上フレーム２０及び下フレーム２１と上下のフレーム２０，２１間を上下に連結する短尺材２２から構成されたパネル体であり、全体として略長尺平板状に形成されている。上下のフレーム２０，２１の長さ方向両端部を、支柱１の前面部１０の内方側見込面１０１の上方部位に連結することで、梁２は支柱１間に架け渡される。
【００１６】
支柱１には、前面部１０の前方側見付面１００と内方側（開口部側）見込面１０１と外方側見込面１０２、側面部１１の外方側見込面１１０と内方側見込面１１１（レール受材８が取り付けられる部位を除いて）と後方側見付面１１２とを被覆するようにサイディング材３，３０，３１、３２，３３，３４が取り付けられる。
【００１７】
支柱１の前面部１０に設けられるサイディング材３，３０は前面部である見付片３００と内方の見込片３０１と外方の見込片３０２とから断面視コ字状を有している。サイディング材３，３０は、見付片３００が支柱１の前面部１０の前方側見付面１００、内方の見込片３０１が支柱１の前面部１０の内方側（開口部側）見込面１０１、外方の見込片３０２が支柱１の前面部１０の外方側見込面１０２に対応して設けられる。
【００１８】
前面部１０の上方部位に設けられるサイディング材３１は見付片３００と外方の見込片３０２とから断面視L形状を有している。サイディング材３１、見付片３００が支柱１の前面部１０の前方側見付面１００、外方の見込片３０２が支柱１の前面部１０の外方側見込面１０２に対応して設けられる。
【００１９】
側面部１１に設けられるサイディング材は、板状のサイディング材３２，３３と角部に設けられる断面視L形状のサイディング材３４とを有する。サイディング材３２は側面部１１の外方側見込面１１０に、サイディング材３３は側面部１１の外方側見込面１１１に、サイディング材３４は側面部１１の後方側見付面１１２に対応してそれぞれ設けられる。
【００２０】
梁２には、前面部を構成する見付面を被覆するようにサイディング材３５，３６が設けられる。サイディング材３５，３６はそれぞれ見付方向に延出する平板である。梁の長さ寸法（開口幅寸法）が大きい場合には、サイディング材３５，３６はそれぞれ長さ方向に並設するように取り付けられる（図１、図２参照）。
【００２１】
サイディング材３，３０，３１，３２，３３，３４，３５，３６は、複数のレンガあるいはタイルを上下左右に積み上げた時の表面模様に擬似したデザインを有しており、１つのサイディング材には目地部が形成されている。所望数のサイディング材を上下方向に連設して設けることでゲート本体の表面を覆うようになっている。図示のものでは、各サイディング材は、主として８段のレンガを積み上げた意匠を有している。各サイディグ材は螺子によって支柱１及び梁２に取り付けられた留付金具に対して取り付けられる。サイディング材の上下端部は留付金具を介して互いに上下に積み重ねることができるような形状に形成されている。図示のものでは、サイディング材の上端側には係止突部（下実部）２８が、下端側には係止受部（上実部）２９が形成されている。下側に位置するサイディング材の上端側の係止突部（下実部）２８が上側に位置するサイディング材の下端側の係止受部（上実部）２９に納まるようになっている。サイディング材の上下端部の形状、留付金具の形状は実施例に示すものに限定されるものではない。
【００２２】
サイディング材の取り付けについて説明する。先ず、第１のサイディング材３から取り付ける。第1のサイディング材３は、見付片３００と内方の見込片３０１と外方の見込片３０２とから断面視コ字状を有している。第1のサイディング材３の見付片３００及び外方の見込片３０２の上端縁には係止突部２８が形成されており、上側に位置するサイディング材３１の下端縁の係止受部２９が載るようになっている。内方の見込片３０１の上端縁は平面３０１Ａに形成されている。第1のサイディング材３の見付片３００、内方の見込片３０１、外方の見込片３０２の下端縁には係止受部２９が形成されており、下側に位置するサイディング材３０の上端縁の係止突片２８に載るようになっている。
【００２３】
第１のサイディング材３は、上端部を梁２の下辺に合わせて支柱１に取り付けられる。具体的には、梁２の下側のフレーム材２１の下辺を通る仮想水平面Ｐと第１のサイディング材３の内方の見込片３０１の上端縁の平面３０１Ａとが同一水平面内に位置するようにして、第１のサイディング材３を支柱１に取り付ける。第１のサイディング材３は留付金具２３，２４を介して支柱１に取り付けられる。留付金具はコーナー部に取り付けられる出隅留付金具２３と面部に取り付けられる留付金具２４とからなる。第１のサイディング材を取り付けるための出隅留付金具２３は、支柱の１の前面部１０の見付面１００と外方見込面１０２とのコーナー部に取り付けられ、留付金具２４は、見付面１００の内方側端部に取り付けられる。
【００２４】
留付金具２３，２４には、上方に延出する傾斜片と下方に延出する傾斜片が形成されており、これらの傾斜片はばね材であり、傾斜片に対してサイディング材の上下端部が弾性係止される。留付金具２３，２４は、留付金具２３，２４に第１サイディング材３を取り付けた時に、梁２の下側のフレーム材２１の下辺を通る仮想水平面Ｐと第１のサイディング材の内方の見込片３０１の上端縁の平面３０１Ａとが同一水平面内に位置するように、螺子を用いて支柱１に取り付けられる。
【００２５】
第1のサイディング材３を支柱１に取り付けた後に、第1のサイディング材３の下方および上方に順次サイディング材３０，３１を取り付けていく。サイディング材３０，３１は留付金具２３，２４を用いて支柱１に取り付けられる点については第１のサイディング材３と同様である。第１のサイディング材３を基準に下方に向って順次断面視コ字状のサイディング材３０を取り付けていく。図１０は、最下段のサイディング材３０の取り付けを示している。図１０において、符号２７は支柱１の周面に設けたスペーサであり、最下段のサイディング材３０の下端側はスペーサを介して螺子で支柱に固定される。第１のサイディング材３から下方に向って順次サイディング材３を取り付けることで、最下段のサイディング材３０の下端の位置に若干の誤差が生じる可能性があるが、そのような誤差が生じてもゲートの美観上は支障はない。また、第1のサイディング材３を基準に下方に向って順次サイディング材３０を留付金具を用いて取り付けていくには、図８に示すような上下反転可能な留付金具を用いると一種類の留付金具を準備するだけで取付施工ができるので施工が単純化でき容易である。
【００２６】
図１１に示すように、第１のサイディング材３を基準に上方に向って順次断面視Ｌ形状のサイディング材３１を取り付けていく。第1のサイディング材３の上端部と第１のサイディング材３の直上のサイディング材３１の下端部との間には水平状の目地Ｊが形成されるが、目地Ｊと、梁２に設けられるサイディング材３５の下端部とが水平方向に一致するようになっている。図１２に示すように、支柱１の側面部１１の見込面１１０，１１１及び後方側見付面１１２にも、留付金具２３，２４を介してサイディング材３２，３３，３４が順次取り付けられる。
【００２７】
梁２の前面を構成する見付面には、２枚の平板状のサイディング材３５，３６が取り付けられる。下方のサイディング材３５は、下方のフレーム材２１の下端に沿って水平方向に延出するスターター２５と、上方のフレーム材２０に取り付けられた留付金具２４とを介して梁２に取り付けられる。下方のサイディング材３５を梁２の見付面に取り付けた時には、支柱１の前面に取り付けた第１サイディング材３の上端（目地Ｊ）とサイディング材３５の下端とが正面視において同一水平線上Ｈに位置するように構成されている。そして、サイディング材３５の水平方向の目地と支柱１に設けた第1サイディング材３の直上に設けたサイディング材３１の水平方向の目地とが一致するようになっている。下方のサイディング材３５の上側には上方のサイディング材３６が取り付けられる。梁２の高さ寸法によっては、１枚のサイディング材のみから梁の見付面を被覆してもよい。
【００２８】
サイディング材３による壁仕上げが完了し、基礎コンクリート施工を行った後で、シャッター装置が設置される。シャッター設置後に、支柱１及び梁２の上面に笠木２６を取り付ける（図１４参照）。
【産業上の利用可能性】
【００２９】
本発明は、移動車両等が出入りするゲートに適用することができる。
【図面の簡単な説明】
【００３０】
【図１】シャッター付きゲートの斜視図である。
【図２】シャッター付きゲートの正面図、側面図、及び平面図である。
【図３】シャッター付きゲートのシャッターケースの内部を示す断面図である。
【図４】ゲート本体の斜視図である。
【図５】支柱の取り付けを示す斜視図である。
【図６】支柱に対する梁の取り付けを示す斜視図である。
【図７】上図はゲートの横断面図であり、下図は支柱の上方部位の部分横断面図である。
【図８】第1のサイディング材の取り付けを示す斜視図である。
【図９】上図はゲートの周面に取り付けたサイディング材を示す横断面図であり、下図は第1のサイディング材と梁の下方フレーム材との関係を示す図である。
【図１０】最下段のサイディング材の取り付けを示す斜視図である。
【図１１】第1のサイディング材の上側のサイディング材の取り付けを示す斜視図である。
【図１２】支柱の側面部へのサイディング材の取り付けを示す斜視図である。
【図１３】梁へのサイディング材の取り付けを示す斜視図である。
【図１４】笠木の取り付けを示す斜視図である。
【図１５】サイディング材の概略断面図である。
【図１６】上下隣位のサイディング材の取り合い及び留付金具との係合を示す概略断面図である。
【符号の説明】
【００３１】
１  支柱
２  梁
３  第1のサイディング材
３０  断面視コ字状のサイディング材
３１  断面視Ｌ形状のサイディング材
３２，３３，３４  支柱の側面部用のサイディング材
３５，３６  梁用のサイディング材
Ｈ  水平線
Ｊ  目地
Ｐ  水平面
【図１】
2005282121.tif 000003
【図２】
2005282121.tif 000004
【図３】
2005282121.tif 000005
【図４】
2005282121.tif 000006
【図５】
2005282121.tif 000007
【図６】
2005282121.tif 000008
【図７】
2005282121.tif 000009
【図８】
2005282121.tif 000010
【図９】
2005282121.tif 000011
【図１０】
2005282121.tif 000012
【図１１】
2005282121.tif 000013
【図１２】
2005282121.tif 000014
【図１３】
2005282121.tif 000015
【図１４】
2005282121.tif 000016
【図１５】
2005282121.tif 000017
【図１６】
2005282121.tif 000018